(57)【特許請求の範囲】
【請求項１】
基礎面に立設される支持脚でコーナー部が支持され、基礎面から浮かした状態で敷き並べられる下地パネルの上面に石材を貼着して石貼りパネルとした石貼りパネルによる二重床において、石貼りパネルの各コーナー部を支持脚に載置される嵩上げ部と嵩上げ部から起立する起立壁とを有する嵩上げ部材によって嵩上げするとともに、嵩上げ部材が下地パネルと石材のコーナー部の両側面に当接して石貼りパネルの互いの位置を規制することを特徴とする石貼りパネルによる二重床。
【請求項２】
石材の方が下地パネルより大きく、起立壁が下地パネルと石材との境で段差で出っ張っている請求項１の石貼りパネルによる二重床。
【請求項３】
支持脚の上面には床パネルの間隔を保つ仕切体が突設されており、仕切体は石材の高さ以下に設定されている請求項１又は２の石貼りパネルによる二重床。
【請求項４】
支持脚の上面には仕切体の交差点から外周に向かって外周が漸低する溝が形成されている請求項１〜３いずれかの石貼りパネルによる二重床。
【請求項５】
嵩上げ部の上面にはピンが突設され、下地パネルの裏面にこのピンが嵌入する穴が形成されている請求項１〜３いずれかの石貼りパネルによる二重床。
【請求項６】
嵩上げ部材の隅には上下に貫通する孔が形成されている請求項１〜５いずれかの石貼りパネルによる二重床。
【請求項７】
嵩上げ部は４ｍｍ以上の厚みを有する請求項１〜６いずれかの石貼りパネルによる二重床。
【発明の詳細な説明】
【技術分野】
【０００１】
本発明は、建物の屋外や屋内に敷設される石貼りパネルによる二重床に関するものである。
【背景技術】
【０００２】
石貼りパネルは建物のエントランス等によく用いられているが、主に装飾感を向上させる目的で用いられている。その施工は、例えば、屋外に直接敷設する場合、まず、下地にモルタルを敷き込み、その上に石材を敷き詰めるが、その際、石材の厚みがばらついているため、厚みを調整しつつ、表面のレベルを出しながら敷設していた。しかし、これによると、石材より下に埋設された配管のメンテナンスを行う際、大量の石材をハツッて壊してしまわなければならず、手間と費用が大変であった。一方、屋内に石貼りパネルによる二重床を形成する場合には、基礎面に支持脚を立て、この上に下地パネルを敷き詰めておいてからその上に合板を捨て貼りし、合板の上に石材を乱貼り状態で接着するのが通常である。これも、床下配線や配管のメンテナンスを行う際、大量の石材をハツッて壊してしまわなければならず、手間と費用が大変であった。
【０００３】
そこで、本出願人は、下記特許文献１及び２のように、下地パネルとほぼ１:１の関係になる石貼りパネルを提案している。特許文献１は、下地パネルの外周にスペーサ部材を接着して石材を載置するとともに、スペーサ部材に設けられる突片部を石材の側面に当てて位置規制したものである。また、特許文献２は、下地パネルのコーナー部裏面に支持脚との間に介在する嵩上げ部材を固定するとともに、石材の上面のレベルが出るように各嵩上げ部材の底面を削るようにしたものである。いずれも下地パネルと石材を１:１の関係に
でき、施工及び取外しが容易であるのを特徴としている。しかし、特許文献１のスペーサ部材や特許文献２のスペーサ部材にしても別々に装着する必要があり、石貼りパネルの製造には手間がかかるものになっていた。
【先行技術文献】
【特許文献】
【０００４】
【特許文献１】特開２０１０−２８１０３７公報
【特許文献２】特開２０１１−０３２７７８号公報
【発明の概要】
【発明が解決しようとする課題】
【０００５】
本発明は、このような問題を解決するものであり、上記先行文献にもあるような嵩上げ部材のみによって石材の位置規制、石貼りパネルのレベル出しや筋目の通った整列ができるようにしたものである。
【課題を解決するための手段】
【０００６】
以上の課題の下、本発明は、請求項１に記載した、基礎面に立設される支持脚でコーナー部が支持され、基礎面から浮かした状態で敷き並べられる下地パネルの上面に石材を貼着して石貼りパネルとした石貼りパネルによる二重床において、石貼りパネルの各コーナー部を支持脚に載置される嵩上げ部と嵩上げ部から起立する起立壁とを有する嵩上げ部材によって嵩上げするとともに、嵩上げ部材が下地パネルと石材のコーナー部の両側面に当接して石貼りパネルの互いの位置を規制することを特徴とする石貼りパネルによる二重床を提供したものである。
【０００７】
また、本発明は、以上の石貼りパネルにおいて、請求項２に記載した、石材の方が下地パネルより大きく、起立壁が下地パネルと石材との境で段差で出っ張っている手段、請求項３に記載した、支持脚の上面には床パネルの間隔を保つ仕切体が突設されており、仕切体は石材の高さ以下に設定されている手段、請求項４に記載した、支持脚の上面には仕切体の交差点から外周に向かって外周が漸低する溝が形成されている手段、請求項５に記載した、嵩上げ部材の上面にはピンが突設され、下地パネルの裏面にこのピンが嵌入する穴が形成されている手段、請求項６に記載した、嵩上げ部の隅には上下に貫通する孔が形成されている手段、請求項７に記載した、嵩上げ部は４mm 以上の厚みを有する手段を提供する。 
【発明の効果】
【０００８】
請求項１の発明によると、石貼りパネルの各コーナー部を支持脚に載置される嵩上げ部と嵩上げ部から起立する起立壁とを有する嵩上げ部材によって嵩上げするとともに、嵩上げ部材が下地パネルと石材のコーナー部の両側面に当接して互いの位置を規制することができるから、スペーサ部材による石材の位置規制は不要となり、部品点数を減らして製作が容易であり、コストも安くなる。
【０００９】
請求項２及び３の手段によれば、石貼りパネルの各コーナー部に設けた嵩上げ部材と支持脚の上面の仕切体とによって位置ずれが規制されるから、石貼りパネルの位置規制がより確実になるとともに、目地の通りもよくなり、敷設作業も簡単になる。請求項４の手段によれば、支持脚の上面に溜まった雨水等を流下させることができるし、請求項５の手段によれば、下地パネルと嵩上げ部材の位置合せが確実になり、ずれが生じない。請求項６の手段によれば、嵩上げ部材に溜まった雨水等を流下させることができる。請求項７の手段によれば、石材では避け難い厚みの誤差を嵩上げ部材の底面の切削で吸収でき、施工の際に容易に石貼りパネルのレベルを出すことができる。
【図面の簡単な説明】
【００１０】
【図１】石貼りパネルを浮設した状態の斜視図である。
【図２】石貼りパネルを浮設した状態の平面図である。
【図３】支持脚と石貼りパネルの関係を示す斜視図である。
【図４】支持脚と石貼りパネルの関係を示す斜視図である。
【図５】石貼りバネルを構成する部材の分解斜視図である。
【図６】下地パネルと石材の関係を示す斜視図である。
【図７】嵩上げ部材と石貼りパネルの関係を示す裏面斜視図である。
【図８】嵩上げ部材と石貼りパネルの関係を示す裏面図である。
【図９】嵩上げ部材と石貼りパネルの関係を示す裏面図である。
【図１０】嵩上げ部材と石貼りパネルの関係を示す斜視図である。
【発明を実施するための形態】
【００１１】
以下、本発明の実施の形態を図面を参照して説明する。図１は本発明に係る石貼りパネルの敷設状態の斜視図であるが、基礎面１に支持脚２を立て、この上に石貼りパネル３を敷き並べる。支持脚２は石貼りパネル３のコーナー部の位置に墨出しして載置されるが、上下調節可能な支柱４を主体としており、支柱４の底面には安定性を図る基礎板５が設けられている。支柱４の上面はかなりの面積を有する円形の受面６を形成しており、その上面に石貼りパネル３を仕切る仕切体７が十文字に形成され、その中心から放射状の溝９が外周が漸低する傾斜で刻設されている（図２及び図３）。
【００１２】
石貼りパネル３は四角形の下地パネル１０と下地パネル１０の上面に貼着されるややサイズの大きい石材（板）１１とからなる。下地パネル１０は無機質系材料からなるコア材１０ａを鋼板製の裏打ちカバー材１０ｂに収容して接着したものである。これは、万が一、石材１１とコア材１０ａが割れたときでも、カバー材１０ｂによって床が抜け落ちるのを防止するためである（図５）。このような石貼りパネル３を支持脚２の受面６の仕切体７と受面６の外周に設けられたガイド８で区切られた部位にそのコーナー部を載置して行くのであるが、支持脚２と石貼りパネル３との間には嵩上げ部材１２を介在させる。
【００１３】
嵩上げ部材１２は樹脂等で形成されるものであり、支持脚２の仕切体７とガイド８で仕切られた１／４円形と大体同じ形状をしているものである。そして、嵩上げ部材１２は下地パネル１０の下に敷かれる嵩上げ部１２ａと嵩上げ部１２ａの直線部分から起立する起立壁１２ｂとを有しており、起立壁１２は下地パネル１０と石材１１のコーナー部の両側面に当接し、互いがずれるのを規制しているとともに、石貼りパネル３の所定位置を確保している。
【００１４】
したがって、起立壁１２bの上方は嵩上げ部１２aよりも当然に側方に張り出すが、起立壁１２bを下地パネル１０と石材１１との境で段差１３で出っ張らせて形成している。この場合、嵩上げ部１２aの一部は嵩上げ部１２aの裏面を支え、他部は仕切体７と下地パネル１０の側面に当接するように起立している。ちなみに、嵩上げ部１２aの段差１３の位置の高さは仕切体７の高さよりも高く、しかも、段差１３の出っ張りは仕切体７の半分程度である。さらに、起立壁１２bの高さも石材１１の表面よりは低くなっている（図３及び４）。いずれも排水性を損なわず、ハイヒールの踵が落ち込まない目地幅（４〜６mm）を保ち、見映えをよくするためである。
【００１５】
また、嵩上げ部１２aは１/４円形をしているのは上記したが、その弧部１３の裏面には
弧部１３と同芯、かつ、放射状のリブ１５が形成されている（図７及び図８）。軽量にして強度を高めるためである。嵩上げ部１２aの上面の中央外周付近にはピン１６が突設されており、これに対応する下地パネル１０の裏面には穴１７が形成され、ピン１６は穴１７に嵌入されるようになっている（図９及び図１０）。下地パネル１０と嵩上げ部材１２との位置決めを確実にするためである。このときのピン１６と穴１７との嵌合を緊いものにしておけば、下地パネル１０と嵩上げ部材１２の一体化に接着等は必要ない。さらに、嵩上げ部材１２のコーナー部には上下に貫通された孔１８が形成されており（図８）、ここに溜まった雨水等を支持脚２上に落下させ、さらに、溝９を流下させて基礎面１上に落下させる。
【００１６】
以上の嵩上げ部材１２を石貼りパネル３のコーナー部にあてがい、嵩上げ部材１２を支持脚２の受面６の仕切体７とガイド８で仕切られた空間に置く。この作業を二重床を形成する敷設域に展開して行くと、図１及び図２に示すような状態になる。この状態はあたかもタイルのように一定の目地（ただし、空間）で整然と並んだ状態になる。さらに、嵩上げ部材１２の嵩上げ部１２ａの底面は、工場で石材を含んで一定の厚みに切削することができるから、隣接するパネルとの段差も生じないように敷き込むことができる。
【符号の説明】
【００１７】
１    基礎面
２    支持脚
３    石貼りパネル
４    支柱
５    基礎板
６    受面
７    仕切体
８    ガイド
９    溝
１０  下地パネル
１０ａ    〃    のコア材
１０ｂ    〃    の裏打ちカバー材
１１  石材
１２  嵩上げ部材
１２ａ    〃    の嵩上げ部
１２ｂ    〃    の起立壁
１３  段差
１４  弧部
１５  リブ
１６  ピン
１７  穴
１８  孔
【図１】
0005815190.tif 000002
【図２】
0005815190.tif 000003
【図３】
0005815190.tif 000004
【図４】
0005815190.tif 000005
【図５】
0005815190.tif 000006
【図６】
0005815190.tif 000007
【図７】
0005815190.tif 000008
【図８】
0005815190.tif 000009
【図９】
0005815190.tif 000010
【図１０】
0005815190.tif 000011